(57)【要約】【課題】  ボタン式電子ロックを具えたＵＳＢ接続携帯型ディスク装置の提供。【解決手段】  ＵＳＢ接続携帯型ディスク装置とコンピュータシステムを接続し、本体のボタンで正確な暗唱コードを入力することで、ＵＳＢ接続携帯型ディスク装置本体のプログラマブルロジックＩＣが入力された暗唱コードに間違いがないことを確認してからコンピュータシステムに対してＵＳＢ接続携帯型ディスク装置内のデータとのアクセスを許可する。これによりＵＳＢ接続携帯型ディスク装置内に保存された重要なデータの漏洩或いは盗難を防止する。本体が暗唱コード入力用のボタンを具えているため、一般のコンピュータシステムとの接続使用に便利であるほか、キーボード入力装置を具備しない工業用コンピュータシステムにも極めて適合する。【選択図】        図１
0003107067.tif 000002
【実用新案登録請求の範囲】
【請求項１】
ＵＳＢ接続携帯型ディスク装置の基板に、複数の数字機能スイッチが設けられ、該基板はケース内に設置され、該ケースの面部には数字機能スイッチに対応するよう配置されたボタンを具えた操作パネルが設けられ、該数字機能スイッチは該ボタン操作により暗唱コードを入力するのに用いられ、該基板にプログラマブルロジックＩＣが設けられ、該プログラマブルロジックＩＣが入力された暗唱コードが正確であるかを判断し、正確であればＵＳＢ接続携帯型ディスク装置を開放し、内部データとのアクセスを許可し、不正確であればロックし、
ＵＳＢ接続携帯型ディスク装置とコンピュータが接続される時、コンピュータよりＵＳＢ接続携帯型ディスク装置に電力が供給され、且つプログラムを駆動しなくとも暗唱コードを入力でき、即ち、該操作パネルのボタンを押して間接的に対応する数字機能スイッチを押圧して暗唱コードを入力でき、プログラマブルロジックＩＣが暗唱コードが正確であるかを判断し、正確であれば信号を送出してＵＳＢ接続携帯型ディスク装置を開放してコンピュータシステムによるデータ読み書きに供し、正確でなければ、プログラマブルロジックＩＣが完全にＵＳＢ接続携帯型ディスク装置をロックして読み書き不能とし、重要な機密データの漏洩を防止することを特徴とする、ボタン式電子ロックを具えたＵＳＢ接続携帯型ディスク装置。
【考案の詳細な説明】
【技術分野】
【０００１】
本考案は一種のボタン式電子ロックを具えたＵＳＢ接続携帯型ディスク装置に係り、特に、ハードウエアＩＣコードロック回路を採用し、プログラムを駆動しなくとも本体のボタンで暗唱コードを入力すれば、盗難を防止できＵＳＢ接続携帯型ディスク装置内に保存された機密データを保護できる、ボタン式電子ロックを具えたＵＳＢ接続携帯型ディスク装置に関する。
【背景技術】
【０００２】
現在、広く使用されているＵＳＢ接続携帯型ディスク装置は、フラッシュメモリを記憶手段とし、フラッシュメモリの高容量と軽量、薄型、コンパクトな特色に、コンピュータシステムに必ず配備されているデータ伝送インタフェースのＵＳＢを組み合わせたものであり、現在携帯型保存メディアの一種の主流となっている。ＵＳＢ接続携帯型ディスク装置は明らかに実用性と便利性を有しているが、その機密保持の設計については強化が求められている。現在市場にある機密保持設計には二種類があり、その一つはソフトウエアによるデータ保護形式であり、この方式はＵＳＢ接続携帯型ディスク装置とコンピュータシステムを接続し、コンピュータシステムによりＵＳＢ接続携帯型ディスク装置を検出した後に、パスワード入力を求め、パスワードが正確であればデータアクセスできるようにする、というものである。しかしこのようなソフトウエアによるデータ保護形式は、ソフトウエア解読によりＵＳＢ接続携帯型ディスク装置内の機密データが盗まれやすい。また、現在工業用コンピュータシステムの多くはキーボードレスの設計とされ、ゆえにパスワード入力の方式は工業用コンピュータには運用できない。
【０００３】
もう一つは、指紋認証形式であり、この設計はＵＳＢ接続携帯型ディスク装置に指紋認証チップを増設することで、使用者の指紋を認証し、入力者の指紋が保存されている指紋と符合すればＵＳＢ接続携帯型ディスク装置を起動してデータアクセスを可能とする、というものである。しかしこの認証は特定の使用者の指先の指紋と対比し、もし使用者のその手指に怪我や汚れがあると、対比認証に直接的に影響が生じ、ＵＳＢ接続携帯型ディスク装置のデータにアクセス不能となることがあり、極めて不便である。また単価が高くつき、一般のＵＳＢ接続携帯型ディスク装置の数倍となる。更に、上述の両者はいずれも予め特有の駆動プログラムを接続するコンピュータシステムにインストールしなければパスワード或いは指紋の認証が行なえず、使用の場合が制限されたり適時に使用が行なえず、さらにこのためにＵＳＢ接続携帯型ディスク装置の便利性が妨害されることにもなりうる。
【考案の開示】
【考案が解決しようとする課題】
【０００４】
上述の従来の技術の構造方式には多くの改善すべきところがあり、本考案はその改善のために提供される。即ち、本考案は一種のボタン式電子ロックを具えたＵＳＢ接続携帯型ディスク装置を提供することを目的とする。それは、ハードウエアＩＣコードロック回路を具え、プログラムを駆動する必要なく本体のボタンで暗唱コードを入力すれば盗難防止とＵＳＢ接続携帯型ディスク装置内の機密データを保護できる。本考案のＵＳＢ接続携帯型ディスク装置とコンピュータシステムを接続し、本体のボタンで正確な暗唱コードを入力することで、ＵＳＢ接続携帯型ディスク装置本体のプログラマブルロジックＩＣが入力された暗唱コードに間違いがないことを確認してからコンピュータシステムに対してＵＳＢ接続携帯型ディスク装置内のデータとのアクセスを許可する。これによりＵＳＢ接続携帯型ディスク装置内に保存された重要なデータの漏洩或いは盗難を防止する。本考案は本体が暗唱コード入力用のボタンを具えているため、一般のコンピュータシステムとの接続使用に便利であるほか、キーボード入力装置を具備しない工業用コンピュータシステムにも極めて適合する。
【課題を解決するための手段】
【０００５】
請求項１の考案は、ＵＳＢ接続携帯型ディスク装置の基板に、複数の数字機能スイッチが設けられ、該基板はケース内に設置され、該ケースの面部には数字機能スイッチに対応するよう配置されたボタンを具えた操作パネルが設けられ、該数字機能スイッチは該ボタン操作により暗唱コードを入力するのに用いられ、該基板にプログラマブルロジックＩＣが設けられ、該プログラマブルロジックＩＣが入力された暗唱コードが正確であるかを判断し、正確であればＵＳＢ接続携帯型ディスク装置を開放し、内部データとのアクセスを許可し、不正確であればロックし、
ＵＳＢ接続携帯型ディスク装置とコンピュータが接続される時、コンピュータよりＵＳＢ接続携帯型ディスク装置に電力が供給され、且つプログラムを駆動しなくとも暗唱コードを入力でき、即ち、該操作パネルのボタンを押して間接的に対応する数字機能スイッチを押圧して暗唱コードを入力でき、プログラマブルロジックＩＣが暗唱コードが正確であるかを判断し、正確であれば信号を送出してＵＳＢ接続携帯型ディスク装置を開放してコンピュータシステムによるデータ読み書きに供し、正確でなければ、プログラマブルロジックＩＣが完全にＵＳＢ接続携帯型ディスク装置をロックして読み書き不能とし、重要な機密データの漏洩を防止することを特徴とする、ボタン式電子ロックを具えたＵＳＢ接続携帯型ディスク装置としている。
【考案の効果】
【０００６】
本考案はＵＳＢ接続携帯型ディスク装置内に保存された重要なデータの漏洩或いは盗難を防止することができ、また、本体が暗唱コード入力用のボタンを具えているため、一般のコンピュータシステムとの接続使用に便利であるほか、キーボード入力装置を具備しない工業用コンピュータシステムにも極めて適合する。本考案の構造は未だ公開使用されておらず実用新案登録の要件を具備している。
【考案を実施するための最良の形態】
【０００７】
本考案のボタン式電子ロックを具えたＵＳＢ接続携帯型ディスク装置は、図１、２に示されるように、ＵＳＢ接続携帯型ディスク装置のプリント基板１０に、複数の数字機能スイッチ１０１が設けられ、該プリント基板１０はケース２０内に設置され、またケース２０の面部には数字機能スイッチ１０１に対応するよう配置されたボタンを具えた操作パネル１０１が設けられている。数字機能スイッチ１０１は暗唱コードを入力するのに用いられる。更にプリント基板１０に設けられたプログラマブルロジックＩＣが入力された暗唱コードが正確であるかを判断し、正確であればＵＳＢ接続携帯型ディスク装置１０００内部データとのアクセスを許可し、不正確であればロックする。
【０００８】
図１、２に示されるように、ＵＳＢ接続携帯型ディスク装置１０００とコンピュータが接続される時、コンピュータよりＵＳＢ接続携帯型ディスク装置１０００に電力が供給され、且つプログラムを駆動しなくとも暗唱コードを入力でき、即ち、その操作パネル２０１の数字ボタンを押して間接的に対応する数字機能スイッチ１０１を押圧して暗唱コードを入力でき、プログラマブルロジックＩＣが暗唱コードが正確であるかを判断し、正確であれば信号を送出してＵＳＢ接続携帯型ディスク装置を開放してコンピュータシステムによるデータ読み書きに供する。また正確でなければ、プログラマブルロジックＩＣが完全にＵＳＢ接続携帯型ディスク装置１０００をロックして読み書き不能とし、重要な機密データの漏洩を防止する。
【０００９】
以上の実施例は本考案の範囲を限定するものではなく、本考案に基づきなしうる細部の修飾或いは改変は、いずれも本考案の請求範囲に属するものとする。
【図面の簡単な説明】
【００１０】
【図１】本考案のＵＳＢ接続携帯型ディスク装置の立体分解図である。
【図２】本考案のＵＳＢ接続携帯型ディスク装置の立体図である。
【符号の説明】
【００１１】
１０  プリント基板                            １０１  スイッチ
２０  ケース                                  ２０１  操作パネル
１０００  ＵＳＢ接続携帯型ディスク装置
【図１】
0003107067.tif 000003
【図２】
0003107067.tif 000004